(57)【要約】【課題】クローラ式の下部走行体を備えるとともに、上部旋回体の右側前部に収納ボックスが設けられた油圧ショベルにおいて、クローラの上面に、作業者の足場や、補給タンク等の物仮置場として利用できる安定したスペースを確保する。【解決手段】収納ボックス２０の右側前部に、クローラ１１の左右内方側端部の上方位置から左右外方側後方に向けて斜めに切欠かれた切欠き部２０ａを設け、該切欠き部２０ａの下方のクローラ１１の上面を、作業者の足場や物仮置場として利用できるスペースＳにした。【選択図】図２
2019039188.tif 000002
【特許請求の範囲】
【請求項１】
左右のクローラを有する下部走行体と、支持構造体をなす旋回フレームを有し前記下部走行体に旋回自在に支持される上部旋回体と、該上部旋回体の左右一方側の前部に配される収納ボックスとを備え、該収納ボックスの上面を地上から上部旋回体の上面への昇降通路として使用可能に構成された油圧ショベルにおいて、前記収納ボックスおよび該収納ポックスの下方の旋回フレームの左右外方側前部に、上部旋回体の前後方向をクローラの前後方向に一致させた状態において、クローラの左右内方側端部の上方位置から左右外方側後方に向けて斜めに切欠かれた切欠き部を設け、該切欠き部の下方のクローラ上面を、作業者の足場や物仮置場として使用可能なスペースにするとともに、前記収納ボックスは、上部旋回体の左右方向と平行状で左右外方側端部がクローラの左右内方側端部の上方に位置する前面部と、該前面部の左右外方側端部から左右外方側後方に向けて斜めに延びて前記切欠き部を形成する傾斜面部と、上部旋回体の前後方向と平行状で傾斜面部の左右外方側端部から後方に延びる左右外方側面部とを備えて構成される一方、前記収納ボックスの傾斜面部または左右外方側面部、もしくは傾斜面部または左右外方側面部の下方に位置する旋回フレーム部分に、収納ボックス上面への昇降用足場を設けたことを特徴とする油圧ショベル。
【請求項２】
請求項１において、油圧ショベルは、上部旋回体の左右一方側の外方側面部に、前後方向に延びるキャットウォークを備える一方、収納ボックスの傾斜面部または左右外方側面部の下方に位置する旋回フレーム部分に設けられる昇降用足場を、前記キャットウォークと連続状に設けたことを特徴とする油圧ショベル。
【発明の詳細な説明】
【技術分野】
【０００１】
本発明は、クローラ式の下部走行体を備えた油圧ショベルの技術分野に関するものである。
【背景技術】
【０００２】
一般に、油圧ショベルの上部旋回体には、エンジンや油圧ポンプ、燃料タンク、作動油タンク、冷却装置等の各種機器装置が搭載されるが、これら機器装置のメンテナンス等の作業を行う場合に、特に大型の油圧ショベルにおいては、地上から機器装置に直接アクセスできないことがあり、このような場合には、作業者が上部旋回体上に乗ってメンテナンス等の作業を行うことになる。また、近年、尿素水を用いた排ガス処理装置を装備した油圧ショベルが提供されているが、このものにおいて尿素水タンクの補給作業を地上から行えない場合には、上部旋回体上で補給作業を行なうことになる（例えば、特許文献１参照）。
このように、メンテナンスや補給等の作業を行うために作業者が上部旋回体上にアクセスする構造として、従来、上部旋回体の右側前部に収納部を設け、該収納部の上面を、地上から上部旋回体の上面に昇降するときの通路の一部として使用するようにしたものが知られている（例えば、特許文献１、２参照）。この場合に、特許文献１のものでは、上部旋回体の右側前部に設けられる収納部として、尿素水タンクが収容される第３収容部と、該第３収容部の前方で上部旋回体の前端部に位置する第２収容部とを設け、これら第２、第３収容部の上面を上部旋回体への昇降用階段として用いるとともに、第２収容部の上面に乗って尿素水タンクへの補給を行うようになっている。また、特許文献２のものでは、尿素水タンク（処理剤タンク）を覆う処理剤タンクカバーの前方位置に工具箱、さらに該工具箱の前方にステップを設け、これらステップ、工具箱の上面、処理剤タンクカバーの上面を上部旋回体への昇降用階段として用いるようになっている。
【先行技術文献】
【特許文献】
【０００３】
【特許文献１】特開２０１６−２２３１９８号公報
【特許文献２】特開２０１６−１３５９７５号公報
【発明の概要】
【発明が解決しようとする課題】
【０００４】
ところで、前記特許文献１、２のように、上部旋回体の右側前部に収納部を設け、該収納部の上面を上部旋回体の上面への昇降通路の一部として使用するようにしたものでは、作業者は、まず地上から収納部の上面に昇ることになるが、この場合に、メンテナンス用品や補給用タンク等の荷物を所持しながら地上から収納部上面に昇降することは不安定であり、このため、荷物を上部旋回体上（例えば、特許文献１における第３収容部の上面や、特許文献２におけるキャットウォークの上面等）あるいはクローラ上面に一旦仮置きしたいという要望がある。しかしながら、特に大型の油圧ショベルにおいては、上部旋回体の地上高が高いため、地上から上部旋回体上に直接荷物を置くのは難しい。一方、クローラ上面は、上部旋回体よりも地上高が低く手の届く範囲である場合が多いが、上部旋回体の前後方向とクローラの前後方向とが一致している状態において、クローラ上面の大半は上部旋回体によって覆われているため、荷物を置くスペースを確保するのが難しい。尚、上部旋回体の前端部よりも前方に突出している部分のクローラ上面は、上部旋回体によって覆われていないため荷物を置くスペースはあるが、上部旋回体の前端部よりも前方に突出する部分のクローラ上面は、クローラが上部ローラの支持を外れてアイドラに向かう部分であって前下がり状に傾斜しているため、荷物を安定して置くことができないという問題がある。
さらに、特許文献１のものでは、上部旋回体の前端部に設けられる第２収容部の上面を、第３収容部に収容された尿素水タンクへの補給作業場としているが、第２収容部の上面の面積が狭いと作業しづらい一方、第２収容部の上面の面積を広くするとその分第３収容部が狭くなってしまうという問題がある。
また、特許文献２のものでは、収納部（工具箱）の前方に設けられたステップを足場として収納部の上面に乗る構成になっているが、このように収納部前方のステップから収納部上面に乗るには、まず上部旋回体の前端部よりも突出している部分のクローラ上面に乗ることになる。しかしながら、該上部旋回体の前端部よりも前方に突出する部分のクローラ上面は、前述したように前下がり状に傾斜しているから、特に工具や補給タンク等の荷物を所持している状態では、足元が不安定になる惧れがある。
また、大型の油圧ショベルのなかには、前記特許文献２のように、上部旋回体の左右側面部にキャットウォークを設けたものがあるが、特許文献２のものでは、収納部上面や収納部前方に設けられるステップとキャットウォークとが連続状に設けられていないため、キャットウォークと収納部上面とのあいだを行き来するためには一旦クローラ上面に降りなければならず、作業効率に劣るという問題もあり、これらに本発明の解決すべき課題がある。
【課題を解決するための手段】
【０００５】
本発明は、上記の如き実情に鑑みこれらの課題を解決することを目的として創作されたものであって、請求項１の発明は、左右のクローラを有する下部走行体と、支持構造体をなす旋回フレームを有し前記下部走行体に旋回自在に支持される上部旋回体と、該上部旋回体の左右一方側の前部に配される収納ボックスとを備え、該収納ボックスの上面を地上から上部旋回体の上面への昇降通路として使用可能に構成された油圧ショベルにおいて、前記収納ボックスおよび該収納ポックスの下方の旋回フレームの左右外方側前部に、上部旋回体の前後方向をクローラの前後方向に一致させた状態において、クローラの左右内方側端部の上方位置から左右外方側後方に向けて斜めに切欠かれた切欠き部を設け、該切欠き部の下方のクローラ上面を、作業者の足場や物仮置場として使用可能なスペースにするとともに、前記収納ボックスは、上部旋回体の左右方向と平行状で左右外方側端部がクローラの左右内方側端部の上方に位置する前面部と、該前面部の左右外方側端部から左右外方側後方に向けて斜めに延びて前記切欠き部を形成する傾斜面部と、上部旋回体の前後方向と平行状で傾斜面部の左右外方側端部から後方に延びる左右外方側面部とを備えて構成される一方、前記収納ボックスの傾斜面部または左右外方側面部、もしくは傾斜面部または左右外方側面部の下方に位置する旋回フレーム部分に、収納ボックス上面への昇降用足場を設けたことを特徴とする油圧ショベルである。
請求項２の発明は、請求項１において、油圧ショベルは、上部旋回体の左右一方側の外方側面部に、前後方向に延びるキャットウォークを備える一方、収納ボックスの傾斜面部または左右外方側面部の下方に位置する旋回フレーム部分に設けられる昇降用足場を、前記キャットウォークと連続状に設けたことを特徴とする油圧ショベルである。
【発明の効果】
【０００６】
請求項１の発明とすることにより、収納ボックスの切欠き部の下方のクローラ上面を、安定した足場や物仮置場として利用することができるとともに、切欠き部を設けたことによる収納ボックスの容量減を可及的に小さく抑えることができる。しかも、収納ボックス上面への昇降時の足元の安定性も確保できる。
請求項２の発明とすることにより、キャットウォークと収納ボックス上面とのあいだの昇降を、容易かつ効率的に行うことができる。
【図面の簡単な説明】
【０００７】
【図１】第一の実施の形態を示す油圧ショベルの右側面図である。
【図２】第一の実施の形態を示す油圧ショベルの平面図ある。
【図３】第一の実施の形態を示す要部斜視図である。
【図４】第二の実施の形態を示す油圧ショベルの右側面図である。
【図５】第二の実施の形態を示す油圧ショベルの平面図ある。
【図６】第二の実施の形態を示す要部斜視図である。
【発明を実施するための形態】
【０００８】
以下、本発明の実施の形態について、図面に基づいて説明する。
まず、本発明の第一の実施の形態について図１〜図３に基づいて説明すると、これら図面において、１は油圧ショベルであって、該油圧ショベル１は、クローラ式の下部走行体２、該下部走行体２の上方に旋回自在に支持される上部旋回体３、該上部旋回体３に装着されるフロント作業機４（該フロント作業機４は、上部旋回体３に取付け支持される基端部のみ図示）等の各部から構成されている。
【０００９】
前記下部走行体２は、左右一対のクローラ式走行装置５Ｌ、５Ｒを有しており、各クローラ式走行装置５Ｌ、５Ｒは、トラックフレーム６、駆動スプロケット７、アイドラ８、複数の上部ローラ（キャリアローラ）９、複数の下部ローラ（トラックローラ）１０、クローラ１１等を備えて構成されている。さらに、前記トラックフレーム６には、地上からクローラ１１上面に昇降するときに足を掛ける走行体昇降ステップ１２が備えられている。
【００１０】
ここで、前記複数の上部ローラ９は、上端位置が駆動スプロケット７およびアイドラ８の上端位置よりも上位に位置するように設けられているとともに、トラックフレーム６の前後方向中間部の上方に位置するクローラ１１に下側から当接してクローラ１１が中間で垂れないように支持しており、これら上部ローラ９によって支持されている部分のクローラ１１上面、つまり、クローラ１１の前後方向中間部の上面は、地面に対して略水平状態となっている。一方、上部ローラ９の支持を外れてアイドラ８に向かう前側部分のクローラ１１上面は前下がり状に傾斜しており、また、駆動スプロケット７に向かう後側部分のクローラ１１上面は後下がり状に傾斜している。尚、本実施の形態において、クローラ１１の前後方向は、アイドラ８を前側とし駆動スプロケット７を後側としてアイドラ８と駆動スプロケット７とを連結する方向である。また、クローラ１１の左右方向は、前記前後方向と直交する方向であって、クローラ１１の左右方向内方側は、左右のクローラ式走行装置５Ｌ、５Ｒが互いに対向する側、左右方向外方側はその反対側である。
【００１１】
一方、上部旋回体３は、支持構造体をなす旋回フレーム１３を有し、該旋回フレーム１３が旋回ベアリング１４を介して下部走行体２に旋回自在に支持されているとともに、旋回フレーム１３の前側左右方向中央部には、前記フロント作業機４の基端部が上下動自在に取付け支持されている。さらに、上部旋回体３には、前記旋回フレーム１３に搭載支持される状態で、キャブ１５、燃料タンク１６、作動油タンク１７、図示しないエンジンや排ガス処理装置等が収納されるエンジンルーム１８，油圧ポンプや冷却装置（ラジエータやオイルクーラー等）等の各種装置機器類が収納される複数の機器室１９、後述する収納ボックス２０、カウンタウエイト２１等が配設されている。尚、本実施の形態において、上部旋回体３の前後左右方向は、キャブ１５の運転席（図示せず）に座したオペレータから見た前後左右方向である。
【００１２】
前記上部旋回体３における各部の配置について説明すると、キャブ１５は、上部旋回体３の左側前部に配設されており、該キャブ１５の左右反対側、つまり、上部旋回体２の右側前部に、キャブ１５との間にフロント作業機４の基端部を挟む状態で、収納ボックス２０が配設されている。さらに、該収納ボックス２０の後方に、燃料タンク１６や作動油タンク１７が配設され、これら燃料タンク１６、作動油タンク１７および前記キャブ１５の後方に、エンジンルーム１８や機器室１９が配設され、さらにその後方、つまり上部旋回体３の後端部に、カウンタウエイト２１が配設されている。尚、本実施の形態において、収納ボックス２０が配設される上部旋回体２の右側前部が、本発明の上部旋回体の左右一方側の前部となる。また、前記燃料タンク１６、作動油タンク１７、エンジンルーム１８、機器室１９およびカウンタウエイト２１の上面、さらにこれら上面間を連結する通路２２は、本発明の上部旋回体３の上面３ａを構成するが、該上部旋回体３の上面３ａの高さ位置は全域で同一高さ位置であるとは限らず、本実施の形態では、燃料タンク１６および作動油タンク１７の上面の高さ位置は、エンジンルーム１８や機器室１９、カウンタウエイト２１の上面の高さ位置よりも一段低く設計されているが、互いに行き来できるようになっている。
【００１３】
前記収納ボックス２０は、排ガス処理装置で用いられる尿素水を貯留する尿素水タンク（図示せず）や、グリースガン、工具等を収納するための収納スペースを形成するものであって、前述したように上部旋回体３の右側前部に設けられているが、該収納ボックス２０の右側前部（左右外方側前部）には、上部旋回体３の前後方向とクローラ１１の前後方向とを一致させた状態において、右側クローラ走行装置５Ｒのクローラ１１の左右内方側端部の上方位置から左右外方側後方に向けて斜めに切欠かれた切欠き部２０ａが形成されている。つまり、収納ボックス２０は、水平状の上面部（本発明の収納ボックスの上面を構成する）２０ｂと、上部旋回体３の前後方向と平行状でクローラ１１の左右内方側端部よりも左方（左右内方）に位置する左側面部（左右内方側面部）２０ｃと、上部旋回体３の左右方向と平行状で左側面部２０ｃの前端部から右方に延び、その右側端部（左右外方側端部）がクローラ１１の左右内方側端部の上方に位置する前面部２０ｄと、該前面部２０ｄの右側端部（左右外方側端部）から右側後方（左右外方側後方）に向けて斜めに延びる傾斜面部２０ｅと、上部旋回体３の前後方向と平行状で傾斜面部２０ｅの右側端部（左右外方側端部）から後方に延びる右側面部（左右外方側面部）２０ｆとを備えて構成されており、上記傾斜面部２０ｅによって切欠き部２０ａが形成されている。また、収納ボックス２０の底面側は、旋回フレーム１３に組付けられているとともに該旋回フレーム１３によって覆蓋されているが、前記収納ボックス２０の下方の旋回フレーム１３の右側前部（左右外方側前部）も同様にクローラ１１の左右内方側端部の上方位置から左右外方側後方に向けて斜めに切欠かれており、これによって、収納ボックス２０の切欠き部２０ａの下方のクローラ１１上面を上方から臨めるようになっている。そして、該収納ボックス２０の切欠き部２０ａの下方のクローラ１１上面を、さらには切欠き部２０ａの左右外方側のクローラ１１上面をも含めて、作業者の足場や、尿素水補給タンク２３、メンテナンス用品（図示せず）等の物仮置場のスペースＳとして利用することができるようになっている。この場合に、収納ボックス２０の切欠き部２０ａの下方のクローラ１１上面は、収納ボックス２０の前面部２０ｄよりも前方に位置するクローラ１１上面よりも前後方向中央側に位置していて、前述した上部ローラ９の支持を外れていない（あるいは殆ど外れていない）水平状態の部分となっており、而して、安定した足場や物仮置場として利用できるようになっている。尚、収納ボックス２０の後面側は、収納ボックス２０の後方に配設される燃料タンク１６の前面部によって覆蓋されている。
【００１４】
ここで、前記収納ボックス２０の切欠き部２０ａを形成する傾斜面部２０ｅは、前述したように、前面部２０ｄの右側端部（左右外方側端部）から右側後方（左右外方側後方）に向けて斜めに延びるように設けられているとともに、前面部２０ｄの右側端部は、クローラ１１の左右内方側端部の上方に位置している。つまり、収納ボックス２０の切欠き部２０ａは、クローラ１１上面の上方に位置している部分だけに設けられていて、クローラ１１よりも左右内方側に位置する部分は切欠かれておらず、これにより、切欠き部２０ａを設けたことによる収納ボックス２０の容量減を可及的に小さく抑えることができる。また、前面部２０ｄには、機体前方を照射する前照灯（図示せず）が内装取付けされるが、この場合に、前面部２０ｄは上部旋回体３の左右方向と平行状であるから、前照灯の左右方向の角度調整を必要とせず、前照灯の取付け構造が簡単になる。
【００１５】
また、収納ボックス２０の上面部２０ｂは、該収納ボックス２０の後方に配設される燃料タンク１６の上面よりも低く設定されていて、該収納ボックス２０の上面部２０ｂを、地上から上部旋回体３の上面３ａへの昇降通路や作業場（例えば、燃料タンク１６のメンテナンス作業の作業場）として使用できるようになっている。さらに、収納ボックス２０の上面部２０ｂの少なくとも一部は、開閉自在な蓋体２０ｇから構成されており、該蓋体２０ｇを開くことで、収納ボックス２０に収納された尿素水タンクへの補給作業や、収納ボックス２０に収納された工具等の出し入れを行うことができるようになっているとともに、該蓋体２０ｇの開閉は、作業者が前述した切欠き部２０ａの下方のクローラ１１上面に乗った状態で行えるようになっている。
【００１６】
次いで、地上から前記収納ボックス２０の上面部２０ｂを通路として上部旋回体３の上面３ａに昇降する構造について説明すると、前記収納ボックス２０の右側面部（左右外方側面部）２０ｆには、第一、第二ハンドレール２５、２６の下端部が固定支持されているとともに、収納ボックス昇降ステップ（本発明の昇降用足場に相当する）２７が設けられている。また、収納ボックス２０の右側面部２０ｆの下方の旋回フレーム１３には、左右一対のグリップ２８が取付けられている。さらに、収納ボックス２０の後方に配設される燃料タンク１６の前面部には、タンク昇降ステップ２９が設けられている。
【００１７】
前記左右一対のグリップ２８は、地上から前記下部走行体２のトラックフレーム６に設けられた走行体昇降ステップ１２に足を掛けてクローラ１１の上面に昇降するときに把持するためのものであって、該グリップ２８は、鋼材からなる取付部２８ａが旋回フレーム１３に取付けられるとともに、該取付部２８ａに固定される把持部２８ｂはゴム等の弾性材から形成されており、これにより、仮に旋回時等に把持部２８ｂが障害物等に衝突するようなことがあったとしても、把持部２８ｂや障害物が破損してしまうことを防止できるようになっている。
【００１８】
また、前記収納ボックス昇降ステップ２７は、クローラ１１の上面から収納ボックス２０の上面部２０ｂに昇降するときに足を掛けるためのものであって、収納ボックス２０の右側面部２０ｆに固定される上側ステップ２７ａと、該上側ステップ２７ａから紐状体２７ｂを介して吊り下げられる下側ステップ２７ｃとから構成されている。そして、このように収納ボックス２０の右側面部２０ｆに設けられる収納ボックス昇降ステップ２７を吊り下げ式にすることで、仮に旋回時等に下側ステップ２７ｃが障害物等に衝突するようなことがあったとしても、下側ステップ２７ｃや障害物が破損してしまうことを防止できるようになっている。さらに、下側ステップ２７ｃは、収納ボックス２０の右側面部２０ｆの下方の旋回フレーム１３部分に位置するように設けられているが、この場合に、後述するように、旋回フレーム１３の右側面部に設けられる右側キャットウォーク３０Ｒと略同じ高さ位置で、且つ、右側キャットウォーク３０Ｒの前端部に隣接するように設けられている。
【００１９】
また、前記第一、第二ハンドレール２５、２６は、クローラ１１上面から収納ボックス２０の上面部２０ｂに昇降するときに把持するべく収納ボックス昇降ステップ２７の両側に配されるものであって、第一ハンドレール２５は、下端部が収納ボックス２０の右側面部２０ｆに固定支持されるとともに、上端部は収納ボックス２０の上面部２０ｂからさらに上方に延びて、収納ボックス２０の上面部２０ｂに立設されるガイドレール３１に連結されている。また、第二ハンドレール２６は、下端部が収納ボックス２０の右側面部２０ｆに固定支持されるとともに、上端部は燃料タンク１６の上面に固定されていて、収納ボックス２０の上面部２０ｂから燃料タンク１６の上面に昇降するときにも把持できるように構成されている。
【００２０】
また、タンク昇降ステップ２９は、収納ボックス２０の上面部２０ｂから上部旋回体３の上面３ａに昇降するときに足を掛けるためのものであって、前述したように収納ボックス２０の後方に配設される燃料タンク１６の前面部に取付けられている。尚、図中、３２は上部旋回体３の上面３ａに立設されるガイドレールであって、該上部旋回体３の上面３ａや前記収納ボックス２０の上面部２０ｂに立設されるガイドレール３２、３１は、作業者の落下を防止するとともに作業者が手摺として利用できるようになっており、また、図示しない照明やアンテナ等の機器支持ステーとしても利用できるようになっている。
【００２１】
而して、地上から上部旋回体３の上面３ａに昇降するにあたり、地上からクローラ１１上面への昇降は、下部走行体２のトラックフレーム６に設けられた走行体昇降ステップ１２と、旋回フレーム１３に設けられた左右のグリップ２８とを用い、また、クローラ１１上面から収納ボックス２０の上面部２０ｂへの昇降は、収納ボックス２０の右側面部２０ｆに取付けられた収納ボックス昇降ステップ２７と、該収納ボックス昇降ステップ２７の両側に配された第一、第二ハンドレール２５、２６とを用い、さらに、収納ボックス２０の上面部２０ｂから上部旋回体３の上面３ａへの昇降は、収納ボックス２０の後方に配設された燃料タンク１６の前面部に設けられたタンク昇降ステップ２９と、前記第二ハンドレール２６とを用いて行える構成となっている。
【００２２】
一方、旋回フレーム１３の左右外方側面部には、前後方向に延びる左右のキャットウォーク３０Ｌ、３０Ｒが設けられている。該キャットウォーク３０Ｌ、３０Ｒは、上部旋回体３に配設の機器室１９に収納された機器のメンテナンスを行う場合等に作業場として利用したり、作業者が上部旋回体３上を前後方向に移動したりするときの足場として使用するためのものであるが、右側のキャットウォーク３０Ｒの前端部は、前記収納ボックス２０の右側面部２０ｆの後端部にまで至るように設けられているとともに、該収納ボックス２０の右側面部２０ｆに設けられた収納ボックス昇降ステップ２７の下側ステップ２７ｃは、右側キャットウォーク３０Ｒと略同じ高さ位置で、且つ、右側キャットウォーク３０Ｒの前端部に隣接するように設けられている。つまり、収納ボックス昇降ステップ２７の下側ステップ２７ｃと右側キャットウォーク３０Ｒとは連続状となっていて容易に行き来ができるようになっており、これにより、地上から右側キャットウォーク３０Ｒへの昇降や、キャットウォーク３０から収納ボックス２０の上面部２０ｂ、さらには上部旋回体３の上面３ａへの昇降を、容易かつ効率的に行えるようになっている。尚、本実施の形態において、右側キャットウォーク３０Ｒは、本発明の上部旋回体の左右一方側の外方側面部に備えられるキャットウォークに相当する。
【００２３】
叙述の如く構成された第一の実施の形態において、油圧ショベル１は、左右のクローラ１１を有する下部走行体２と、支持構造体をなす旋回フレーム１３を有し下部走行体２に旋回自在に支持される上部旋回体３と、上部旋回体３の右側前部に配される収納ボックス２０とを備えるとともに、該収納ボックス２０の上面部２０ｂを地上から上部旋回体３の上面３ａへの昇降通路として使用可能に構成されているが、このものにおいて、収納ボックス２０および該収納ポックス２０の下方の旋回フレーム１３の右側前部（左右外方側前部）には、上部旋回体３の前後方向をクローラ１１の前後方向に一致させた状態において、右側のクローラ１１の左右内方側端部の上方位置から左右外方側後方に向けて斜めに切欠かれた切欠き部２０ａが形成されており、該切欠き部２０ａの下方のクローラ１１上面が、作業者の足場や、補給タンク２３、メンテナンス用品等の物仮置場として使用可能なスペースＳとして確保されることになる。さらに、前記収納ボックス２０は、上部旋回体２の左右方向と平行状で右側端部（左右外方側端部）がクローラ１１の左右内方側端部の上方に位置する前面部２０ｄと、該前面部２０ｄの右側端部（左右外方側端部）から右側後方（左右外方側後方）に向けて斜めに延びて前記切欠き部２０ａを形成する傾斜面部２０ｅと、上部旋回体２の前後方向と平行状で傾斜面部２０ｅの右側端部（左右外方側端部）から後方に延びる右側面部（左右外方側面部）２０ｆとを備えて構成される一方、収納ボックス２０の右側面部２０ｆおよび該右側面部２０ｆの下方に位置する旋回フレーム１３部分には、収納ボックス２０の上面部２０ｂへの昇降用足場となる収納ボックス昇降ステップ２７（上側ステップ２７ａおよび下側ステップ２７ｃ）が設けられることになる。
【００２４】
而して、収納ボックス２０の切欠き部２０ａの下方のクラーラ１１上面を、作業者の足場や物仮置場として利用できることになるが、この場合に、収納ボックス２０の切欠き部２０ａの下方のクローラ１１上面は、収納ボックス２０の前面部２０ｄよりも前方に位置するクローラ１１上面よりも前後方向中央側に位置していて水平状態を確保できる部分となっており、よって、安定した足場や物仮置場として利用できることになる。
【００２５】
しかも、前記収納ボックス２０の切欠き部２０ａは、クローラ１１の左右内方側端部の上方位置から左右外方側後方に向けて斜めに切欠かれていて、クローラ１１よりも左右内方側に位置する部分は切欠かれていないから、切欠き部２０ａを設けたことによる収納ボックス２０の容量減を可及的に小さく抑えることができる。さらに、クローラ１１よりも左右内方側となる部分に、上部旋回体２の左右方向と平行状の前面部２０ｄを設けることができるから、該前面部２０ｄに前照灯を取付ける場合の取付け構造が簡単になる。
【００２６】
さらに、収納ボックス２０の右側面部２０ｆおよび該右側面部２０ｆの下方に位置する旋回フレーム１３部分には、収納ボックス昇降ステップ２７（上側ステップ２７ａおよび下側ステップ２７ｃ）が設けられており、該該収納ボックス昇降ステップ２７を昇降用足場として収納ボックス２０の上面部２０ｂに昇降できることになる。而して、収納ボックス２０の前面部２０ｄよりも前方に位置する傾斜状のクローラ１１上面に載らなくても収納ボックス２０の上面部２０ｂに昇降できることになって、足元の安定性を確保できる。
【００２７】
さらにこのものでは、収納ボックス２０の右側面部２０ｆの下方に位置する旋回フレーム１３部分に設けられる下側ステップ２７ｃが、上部旋回体２の右側の外方側面に設けられる右側キャットウォーク３０Ｒと連続状に設けられているから、キャットウォーク３０と収納ボックス２０の上面部２０ｂ、さらには上部旋回体３の上面３ａとのあいだの昇降を、容易かつ効率的に行うことができる。
【００２８】
次いで、本発明の第二の実施の形態について、図４〜図６に基づいて説明するが、該第二の実施の形態のものにおいて、上部旋回体３におけるキャブ１５、燃料タンク１６、作動油タンク１７、エンジンルーム１８，機器室１９、収納ボックス２０、カウンタウエイト２１等の配置は第一の実施の形態と同様である。さらに、収納ボックス２０および該収納ボックス２０の下方の旋回フレーム１３の右側前部（左右外方側前部）には、クローラ１１の左右内方側端部の上方位置から左右外方側後方に向けて斜めに切欠かれた切欠き部２０ａが形成されているとともに、収納ボックス２０は、第一の実施の形態と同様に、上面部２０ｂと、左側面部（左右内方側面部）２０ｃと、前面部２０ｄと、切欠き部２０ａを形成する傾斜面部２０ｅと、右側面部（左右外方側面部）２０ｆとを備えて構成されており、切欠き部２０ａの下方のクローラ１１上面を、作業者の足場や物仮置場のスペースＳとして利用することができるようになっていることも、第一の実施の形態と同様である。而して、第二の実施の形態のものにおいても、第一の実施の形態と同様に、収納ボックス２０の切欠き部２０ａの下方のクローラ１１上面を、安定した足場や物仮置場として利用できるとともに、切欠き部２０ａを設けたことによる収納ボックス２０の容量減を可及的に小さく抑えることができて、第一の実施の形態と同様の作用効果を奏することになる。尚、第二の実施の形態において、第一の実施の形態と同様（共通）のものについては、同一の符号を付すとともに説明を省略する。
【００２９】
さらに、第二の実施の形態のものにおいても、第一の実施の形態と同様に、収納ボックス２０の上面部２０ｂを、地上から上部旋回体３の上面３ａへの昇降通路や作業場として使用できるようになっているが、第二の実施の形態のものでは、クローラ１１の上面から収納ボックス２０の上面部２０ｂに昇降するときに足を掛けるための収納ボックス昇降ステップ（本発明の昇降用足場に相当する）３３として、収納ボックス２０の傾斜面部２０ｅに固定された上側ステップ３３ａと、後述する足場プレート３３ｂとが設けられている。
【００３０】
前記足場プレート３３ｂは、収納ボックス２０の傾斜面部２０ｅおよび右側面部（左右外方側面部）２０ｆの下方の旋回フレーム１３部分に設けられているとともに、右側キャットウォーク３０Ｒの前端部から一体的に延出形成されていて、右側キャットウォーク３０Ｒと連続している。さらに、該足場プレート３３ｂの左右外方側端縁部は、傾斜面部２０ｅの下方に位置する部分から右側面部（左右外方側面部）２０ｆの下方に位置する部分に至るまで、左右外方側後方に向けて斜めに延びる傾斜状に形成されており、これにより、収納ボックス２０の切欠き部２０ａによって形成されるクローラ１１上面のスペースＳを広く確保できるようになっている。
【００３１】
また、前記足場プレート３３ｂの下面側には、下側ハンドレール３４が取付けられている。該下側ハンドレール３４は、地上から走行体昇降ステップ１２に足を掛けてクローラ１１の上面に昇降するときに作業者が把持するためのものであって、足場プレート３３ｂの傾斜状の左右外方側端縁部に沿うように設けられている。
【００３２】
さらに、３５、３６は収納ボックス昇降ステップ３３の両側に配される第一、第二ハンドレールであって、クローラ１１上面から収納ボックス２０の上面部２０ｂに昇降するときに把持するためのものであるが、第一ハンドレール３５は、下端部が旋回フレーム１３に固定支持されるとともに、上端部は収納ボックス２０の上面部２０ｂからさらに上方に延びて、収納ボックス２０の上面部２０ｂの上方前側をガードするガイドレール３７に連結されている。また、第二ハンドレール３６は、下端部が足場プレート３３ｂに固定支持されるとともに、上端部は燃料タンク１６の上面に固定されていて、収納ボックス２０の上面部２０ｂから燃料タンク１６の上面に昇降するときにも把持できるように構成されている。
【００３３】
而して、第二の実施の形態では、地上から上部旋回体３の上面３ａに昇降するにあたり、地上からクローラ１１上面への昇降は、下部走行体２のトラックフレーム６に設けられた走行体昇降ステップ１２と、足場プレート３３ｂの下面側に設けられた下側ハンドレール３４とを用い、また、クローラ１１上面から収納ボックス２０の上面部２０ｂへの昇降は、収納ボックス２０の傾斜面部２０ｅおよび右側面部（左右外方側面部）２０ｆの下方の旋回フレーム１３部分に取付けられた足場プレート３３ｂ、および傾斜面部２０ｅに取付けられた上側ステップ３３ａからなる収納ボックス昇降ステップ３３と、該収納ボックス昇降ステップ３３の両側に配設された第一、第二ハンドレール３５、３６とを用い、さらに、収納ボックス２０の上面部２０ｂから上部旋回体３の上面３ａへの昇降は、第一の実施の形態と同様に、収納ボックス２０の後方に配設された燃料タンク１６の前面部に設けられたタンク昇降ステップ２９と、前記第二ハンドレール３６とを用いて行える構成となっている。
【００３４】
このように構成された第二の実施の形態のものでは、収納ボックス昇降ステップ３３として、収納ボックス２０の傾斜面部２０ｅおよび右側面部（左右外方側面部）２０ｆの下方の旋回フレーム１３部分に取付けられた足場プレート３３ｂと、収納ボックス２０の傾斜面部２０ｅに取付けられた上側ステップ３３ａとが設けられており、これら足場プレート３３ｂおよび足場プレート３３ｂを昇降用足場として収納ボックス２０の上面部２０ｂに昇降できることになる。而して、第二の実施の形態のものにおいても、収納ボックス２０の前面部２０ｄよりも前方に位置する傾斜状のクローラ１１上面に載らなくても収納ボックス２０の上面部２０ｂに昇降できることになって、足元の安定性を確保できることになる。
【００３５】
さらに第二の実施の形態のものでは、収納ボックス昇降ステップ３３を構成する足場プレート３３ｂが右側キャットウォーク３０Ｒの前端部から延出形成されており、而して第二の実施の形態のものにおいても、地上から右側キャットウォーク３０Ｒへの昇降や、右側キャットウォーク３０Ｒから収納ボックス２０の上面部２０ｂ、さらには上部旋回体３の上面３ａへの昇降を、容易かつ効率的に行うことができる。
【００３６】
尚、本発明は上記第一、第二の実施の形態に限定されないことは勿論であって、例えば、第一、第二の実施の形態では、上部旋回体の左側前部にキャブが配設され、該キャブの左右反対側、つまり上部旋回体の右側前部に収納ボックスが配設されているが、上部旋回体の右側前部にキャブが配設される場合もある。この場合には、収納ボックスは上部旋回体の左側前部に配設され、また、収納ボックスの下方に位置する旋回フレーム部分に設けられる昇降用足場は、左側キャットウォークと連続状となるように構成されて、第一、第二の実施の形態とは左右勝手違いとなる。また、上部旋回体における作動油タンク、燃料タンク、エンジンルーム、機器室等の配置は、上記第一、第二の実施の形態に限定されることなく、油圧ショベルの種類や大きさ等に応じて適宜設計される。
また、第二の実施の形態において、クローラ上面から収納ボックス上面への昇降に用いる昇降用足場（収納ボックス昇降ステップ３３）は、上側ステップと足場プレートとから構成されているが、足場プレートに替えて、上側ステップと同様の下側ステップを設ける構成にすることもできる。この場合、下側ステップは、収納ボックスの傾斜面部の下方の旋回フレーム部分に設けるとともに、キャットウォークの前端部を傾斜面部の後端部まで延出することによって、下側ステップとキャットウォークとを連続状となるように構成することができる。
【産業上の利用可能性】
【００３７】
本発明は、クローラ式の下部走行体を備えた油圧ショベルにおいて、上部旋回体の左右一方側の前部に収納ボックスを設ける場合に利用することができる。
【符号の説明】
【００３８】
１  油圧ショベル
２  下部走行体
３  上部旋回体
１１  クローラ
１３  旋回フレーム
２０  収納ボックス
２０ａ  切欠き部
２０ｂ  上面部
２０ｄ  前面部
２０ｅ  傾斜面部
２０ｆ  右側面部
２７  収納ボックス昇降ステップ
３０Ｒ  右側キャットウォーク
３３  収納ボックス昇降ステップ
【図１】
2019039188.tif 000003
【図２】
2019039188.tif 000004
【図３】
2019039188.tif 000005
【図４】
2019039188.tif 000006
【図５】
2019039188.tif 000007
【図６】
2019039188.tif 000008